(57)【要約】【課題】  書籍の見開き姿勢を維持するための拘束部材を要することなく、見開き姿勢の書籍を安定に支持することができ、しかも、見易い書見台を提供する。【解決手段】  書籍を載せる書見板５４，５４を左右一対の分割構成とし、一対の書見板５４，５４間に書籍の背表紙部を落とし込む背落し間隔Ｄ１を設定するとともに、一対の書見板５４，５４に、書籍を４０度〜７０度後方に傾斜させて支持する後傾角度と書籍の表表紙と裏表紙とを１４０度〜１６０の角度に開いた状態で支持する見開き角度Ａ２との２種類の角度を設定する。一対の書見板５４，５４における背落し間隔Ｄ１と後傾角度と見開き角度Ａ２との相乗作用によって、安定な支持状態と見易さとが両立される。【選択図】  図１
0003114335.tif 000002
【実用新案登録請求の範囲】
【請求項１】
書籍の表表紙と裏表紙とに対応する一対の書見板と、それぞれの書見板の下端縁に前方に向けて突設する滑り止め片と、一対の書見板を所定姿勢で所定間隔を保って自立可能に支持するベース台と、書籍の背表紙部に対応する背当て部材とを備え、
前記一対の書見板には、書籍を４０度〜７０度後方に傾斜させて支持する後傾角度と書籍の表表紙と裏表紙とを１４０度〜１６０度の角度に開いた状態で支持する見開き角度とを設定するとともに、書籍の背表紙部を一対の書見板間に落とし込むための背落し間隔を設定して前記ベース台に固定され、前記背当て部材は、一対の書見板の背落し間隔内に書籍の背表紙部を落とし込むための背落し深さ後退した位置に一対の書見板の後傾角度に沿って配置することを特徴とする書見台。
【請求項２】
書籍の表表紙と裏表紙とに対応する一対の書見板と、それぞれの書見板の下端縁に前方に向けて突設する滑り止め片と、一対の書見板を所定姿勢で所定間隔を保って連結する背当て部材と、一対の書見板を自立可能に支持するベース台と、背当て部材とベース台との間に介装する支柱部材とを備え、
前記背当て部材は、書籍の背表紙部を一対の書見板間に落とし込むための背落し間隔を設定するとともに、書籍の表表紙と裏表紙とを１４０度から１６０度の角度に開いた状態で支持する見開き角度とを維持して背落し間隔内に書籍の背表紙部を落とし込むための背落し深さ後退した位置において一対の書見板を連結し、前記ベース台は前記支柱部材を介して一対の書見板を書籍を４０度〜７０度後方に傾斜させて支持するための後傾角度を付与して支持することを特徴とする書見台。
【請求項３】
前記滑り止め片は、前記書見板の下端縁から下方に向けて位置決め自在に取り付ける調節部材を介して前記書見板に固定することを特徴とする請求項１または請求項２に記載の書見台。
【請求項４】
前記一対の書見板と滑り止め片とベース台と背当て部材とは、ガラス質材料から一体成形することを特徴とする請求項１に記載の書見台。
【請求項５】
前記一対の書見板は、それぞれ外側の側端縁から書見板の幅寸法を減ずる向きの切欠き部を備えることを特徴とする請求項１ないし請求項４のいずれか１項に記載の書見台。
【考案の詳細な説明】
【技術分野】
【０００１】
本考案は、書籍を見開き状態で見易い角度に支持し、卓上または床上に自立させておくことができる書見台の改良に関する。なお、本明細書において書見台と表現するものには、図見台、楽譜台、台詞台等が含まれる。
【背景技術】
【０００２】
今日、電子的な方法で情報のやりとりをすることが流行しているようであるが、それでも、なお、書籍は、落ち着いて知識を吸収することができる人知の宝庫である地位を失っていない。書籍を見開き状態として見易い角度に支持する用具としての書見台の歴史は古く、その発祥は、書籍の普及と時を同じくするように思われる。例えば、石川県立美術館は、「蒔き絵和歌の浦図見台」（江戸時代中期、国指定重要文化財）を所蔵する。初期の加賀蒔き絵技法、蒔き暈し技法、切り金技法、その他の高度な工芸的手法をふんだんに用いた逸品である。
【０００３】
このものは、基台と支柱と、下端縁に滑り止め片を取り付けた一枚の書見板とからなる。基台には十分な重量が付与され、支柱を介して書見板を正座姿勢の読み手に対して適度な高さ位置に支持する構成である。書見板には、適度な後傾角度が設定され、目線との角度関係が配慮されている。当時、貴重であった地図や外国文献等を閲覧するのに用いたものと思われる。「蒔き絵和歌の浦図見台」におけるこのような構成は、今日提供されている書見台と何ら変わるところはない。ただし、当時の畳文化に代えて椅子文化が普及した今日では、支柱を有しない卓上型のものが主流である。
【０００４】
本考案に係る書見台は、一度使用すると手放すことができない便利さを発揮するが、従来の書見台には、次のような問題があることもあって、一般に普及しているとは言えないのが現状である。
【０００５】
書見台における最も根本的な問題点は、書見台上に載せられた書籍の見開き姿勢が不安定であるという問題である。見開き姿勢が不安定であるとは、書籍の特定のページを開いておいても、用紙が勝手にめくれてページが移動してしまったり、開いた書籍が閉じてしまったり、半閉じ状態となるようなことを言う。この問題は、書見台における書見板の後傾角度が小さく、書見板が直立姿勢に近いものほど顕著に発生する。すなわち、水平姿勢の場合に見開き状態とした書籍に加わる重力は、書籍を見開き状態に維持するように作用するのであるが、直立姿勢に近い姿勢の書籍に対しては、見開き状態を維持する方向には作用しないということである。
【０００６】
書見台上の書籍の見開き姿勢が不安定となる別の原因としては、書籍が書見板によって良好に支持されていないということが挙げられる。この問題は、見開き姿勢とした書籍の断面形状が、背表紙部が突出した屈曲状態であるのに対して、これを受け止める書見台の書見板が、単なる平板状であるためである。このことによって、書見台上の書籍は、専ら重量の集中する背表紙部が、書見板によって相対的に後方から押し出される状態となっており、背表紙部が押されることによって閉じようとするのである。
【０００７】
書見台における別の問題としては、書籍を見開き状態として書見台上に載せた場合において、左右ページの角度が目線に対して適切に維持されないという問題がある。書籍を水平面上に開いて置くと、背表紙部で閉じられている多数枚の用紙は、一旦上方に立ち上がってから弧を描いて左右に倒れるようにして開かれた姿勢を維持している。したがって、書籍左右のページの中央寄りは、目線に対して内向きとなり、外側寄りにおいては、目線に対して外向きとなる。書籍の後傾角度は、書見板の後傾角度によって簡単に調節することができるが、左右ページの見開き角度が適切に維持されないという問題は、後傾角度を付与する手段によっては何ら解決されないのである。
【０００８】
従来の書見台における上記問題に対する対応策としては、一般に、見開き状態とした書見台上の書籍を見開き状態に拘束するための何らかの拘束部材を設けることが常套的である（下記、特許文献１参照）。
【特許文献１】特開２０００−１３９５７９号公報  なお、特許文献１に示す技術は、書見板が相対的に書籍の背表紙部を押すことによる見開き姿勢の不安定さを解消するため、書見板に書籍の背表紙部を受け入れる凹溝を設けている点は、高く評価することができる。
【０００９】
書見台において、書籍に対する拘束部材を採用する技術については、ページをめくる作業が煩雑化するという問題が避けられない。ワープロ原稿や各ぺージをじっくりと読み進める基本書のような書籍においては、上手に設計された拘束部材であれば使用に耐えるが、頻繁にページをめくる必要がある辞書や法例集等の参照用書籍の場合においては、到底使用に耐え得ない。また、別に、拘束部材が障害となって文字が見づらくなるという問題も拘束部材が透明であるか否かに拘らず避けることができない。
【考案の開示】
【考案が解決しようとする課題】
【００１０】
上記従来の書見台で考察したように、書見台上の書籍の見開き姿勢を拘束部材によって維持しようとする技術は、それによって得られる効果とそれによって惹起される不都合とを相殺すると残るところが寡少に過ぎる。このことから、本考案は、拘束部材を用いることなく書見台上における書籍の見開き姿勢を安定に維持することを課題とする。
【００１１】
この課題を解決するための具体的な手段の模索には、次のような手法を用いた。基本的には、従来一枚板であった書見板を２枚の一対とし、その間に書籍の背表紙部を落とし込むことによって、見開き状態の書籍の表表紙と裏表紙と一対の書見板とが密着した安定な当接状態を実現する。そして、後傾角度を変化させて見開き状態が維持される後傾角度の範囲を決定する。さらに、従来、後傾角度のみであった書見板に見開き角度を設定し、見開き角度を変化させ、見開き状態の左右ページが最も見易くなる見開き角度の範囲を決定した。
【課題を解決するための手段】
【００１２】
本考案は、上記課題を解決するために次のような手段を採用する。
【００１３】
本考案の請求項１に記載の書見台は、書籍の表表紙と裏表紙とに対応する一対の書見板と、それぞれの書見板の下端縁に前方に向けて突設する滑り止め片と、一対の書見板を所定姿勢で所定間隔を保って自立可能に支持するベース台と、書籍の背表紙部に対応する背当て部材とを備え、一対の書見板は、書籍を４０度〜７０度後方に傾斜させて支持する後傾角度と書籍の表表紙と裏表紙とを１４０度〜１６０度の角度に開いた状態で支持する見開き角度とを設定するとともに、書籍の背表紙部を一対の書見板間に落とし込むための背落し間隔を設定してベース台に固定され、背当て部材は、一対の書見板の背落し間隔内に書籍の背表紙部を落とし込むための背落し深さ後退した位置に一対の書見板の後傾角度に沿って配置することを特徴とする。
【００１４】
上記構成を有する書見台における一対の書見板は、背落し間隔を保って分離した状態でベース台に固定され、背落し間隔内に見開き姿勢とした書籍の背表紙部を受け入れることができる。したがって、書籍の表表紙と裏表紙とは、一対の書見板に安定に当接し、書籍は、一対の書見板によって安定に支持される。なお、背落し間隔内に落ち込んだ書籍の背表紙部は、背落し間隔内に配置される背当て部材によって受け止められる。書籍の背表紙部が所定量以上落ち込むと却って書籍が閉じようとすることから、背当て部材は、所定の背落し深さで背表紙部を停止させるのである。書籍を支持する一対の書見板には、書籍を４０度〜７０度後方に傾斜させる大き目の後傾角度が設定されている。これは、後傾角度が４０度を下回ると書籍が直立姿勢に近くなって何らかの拘束部材が必要となるからである。また、後傾角度が７０度を超えると書籍の姿勢が水平に近づいて文字が読みづらくなること、および、大紙面の書籍は、小さ目の後傾角度で目から離した位置に置き、小紙面の書籍は、大き目の後傾角度で目に近い位置に置くことが適当であることから、この際の目線の角度の変化範囲を考慮して決定した後傾角度の範囲である。なお、各書見板の滑り止め片は、書籍が書見板に沿って滑落するのを防止する。また、一対の書見板には、書籍の表表紙と裏表紙とを１４０度〜１６０度の角度に開いた状態で支持する見開き角度が設定されている。書籍の厚みにも関係するのであるが、表表紙と裏表紙とをこの角度範囲内で支持するときに、見開き状態の書籍の左右ページがほぼ１８０度に開いて文字が見易くなる。そして、この見開き角度の設定によって、書見板上の書籍の安定性もより高められている。
【００１５】
本考案の請求項２に記載の書見台は、書籍の表表紙と裏表紙とに対応する一対の書見板と、それぞれの書見板の下端縁に前方に向けて突設する滑り止め片と、一対の書見板を所定姿勢で所定間隔を保って連結する背当て部材と、一対の書見板を自立可能に支持するベース台と、背当て部材とベース台との間に介装する支柱部材とを備え、背当て部材は、書籍の背表紙部を一対の書見板間に落とし込むための背落し間隔を設定するとともに、書籍の表表紙と裏表紙とを１４０度から１６０度の角度に開いた状態で支持する見開き角度を維持して背落し間隔内に書籍の背表紙部を落とし込むための背落し深さ後退した位置において一対の書見板を連結し、ベース台は支柱部材を介して一対の書見板を書籍を４０度〜７０度後方に傾斜させて支持するための後傾角度を付与して支持することを特徴とする。
【００１６】
上記構成を有する書見台における特徴は、背当て部材が書籍の背表紙部を受け止める機能に加えて一対の書見板を連結する機能を兼ねていること。ベース台を書見板間に支柱部材が介装されている点である。すなわち、支柱部材の長さを変化させることによって一対の書見板を随意の高さ位置に支持することができるので、書見台を多様な用途、例えば、ワープロの原稿台や正座姿勢をとる習いごとの楽譜台等に利用することができる。
【００１７】
本考案の請求項３に記載の書見台は、滑り止め片は、前記書見板の下端縁から下方に向けて位置決め自在に取り付ける調節部材を介して書見板に固定することを特徴とする。
【００１８】
書見台上の書籍の上下位置は、書見板に突設する滑り止め片によって位置決めされる。そこで、滑り止め片を調節部材を介して位置決め自在とし、書籍のサイズに応じて上下動させることにより、一対の書見板を書籍のサイズに拘らず表表紙と裏表紙の中央位置に相対移動させ、書籍の支持状態を最適化することができる。
【００１９】
本考案の請求項４に記載の書見台は、一対の書見板と滑り止め片とベース台と背当て部材とは、ガラス質材料から一体成形することを特徴とする。
【００２０】
書見台は、古くは木製であり、今日のものには、樹脂製や鋼板焼き付け塗装仕上げのものも見られる。本構成は、それらの材料以外に、特にガラス質材料から各部を一体成形することができる旨を明示するのものである。ここで、一体成形とは、ベース台や書見板を別個に製作して溶融接合したものを含むものとする。溶融可能なガラス質材料によれば、オブジェ的な要素を備える作品が製造し易いという特質を発揮することができる。
【００２１】
本考案の請求項５に記載の書見台における一対の書見板は、それぞれ外側の側端縁から書見板の幅寸法を減ずる向きの切欠き部を備えることを特徴とする。
【００２２】
書籍の見開きサイズが一対の書見板を合わせたサイズより小さく、書見台上に書籍をセットしたときに書籍が一対の書見板の内側に収まる態様となる場合には、書見板が障害となって書籍の縁に指先を掛けてするページめくりがし難くなることがある。本構成は、このような場合に対応するものである。すなわち、切欠き部を設けた部分については、部分的に書見板が存在しないのであるから、切欠き部においては、障害なく書籍の縁に指先を掛けて簡単にページめくり動作をすることが可能である。
【考案の効果】
【００２３】
本考案に係る書見台は、一対の書見板を備え、一対の書見板には、書籍の背表紙部を落とし込むことによって書籍の表表紙と裏表紙とを一対の書見板に密着させる背落し間隔と、書籍が重力によって安定に見開き姿勢を維持することができる比較的大きな後傾角度と、見開き状態とした書籍の左右ページが最も見易い姿勢となる見開き角度との２種類の角度を設定することによって、見開き状態の書籍を拘束するための拘束部材を要することなく、見開き状態の書籍に対する安定な支持状態と見易さとを両立している。
【考案を実施するための最良の形態】
【００２４】
以下、図面を引用しながら本考案の実施の形態を説明する。
【００２５】
書見台５０は、通常は、天然木材料を素材とする。素材は、重い書籍６０であっても安定に支持することができるとともに、書見台５０を使用しないときにおいては、机上のオブジェとしての機能を兼ねるように、重くて木肌が美麗な硬木質のもの、例えば、ブナ、クリ、セン、ケヤキ、ナラ、タモ、黒ガキ、チーク、紫檀、黒檀、タガヤサン等の素材から選定することが好ましい。スギ、マツ、キリ等の軟質で軽量な素材では、全く映えないので注意を要する。表面仕上げは、素材の種類によって経験則的に知られている素材を生かす公知の仕上げ手法によるが、表面仕上げ自体は。本考案の特定要素ではない。
【００２６】
書見台５０は、ベース台５１、支柱部材５２、背当て部材５３、一対の書見板５４，５４と、各書見板５４に取り付けられる滑り止め片５５，５５とから構成されている（図１ないし図３）。
【００２７】
書見台５０における一対の書見板５４，５４は、ポケット六法（有斐閣）程度のサイズからＡ４サイズまでの書籍６０に適用することを想定して寸法設定されており、各書見板５４のサイズは、ポケット六法と略同じ縦横寸法である。したがって、Ａ４サイズに比べれば、かなり小振りであるが、一対の書見板５４，５４を離して配置することによって、大サイズの書籍６０にも適応することができるのである。各書見板５４は、薄手の単板からなり、その四隅は、アール面取りされている。また、各書見板５４の下端縁には、前方に向けて滑り止め片５５が突設されている。滑り止め片５５，５５は、書見板５４，５４に沿って書籍６０が滑落するのを阻止する作用をする。
【００２８】
一対の書見板５４，５４は、背当て部材５３によって、両者間に所定の見開き角度Ａ２と背落し間隔Ｄ１と背落し深さＤ２とを設定して連結されている（図１，図３）。背当て部材５３は、角棒材を素材とし、これに一対の書見板５４，５４を取り付けるための斜面５３Ａ，５３Ａを切り出し形成するとともに、左右の斜面５３Ａ，５３Ａ間に、凹部５３Ｂを切削形成したものである。一対の書見板５４，５４の見開き角度Ａ２は、斜面５３Ａ，５３Ａによって付与され、背落し間隔Ｄ１は、凹部５３Ｂの幅によって付与され、背落し深さＤ２は、凹部６３Ｂの深さと書見板５４の板厚の和によって付与される（図３）。
【００２９】
背当て部材５３によって連結された一対の書見板５４，５４は、支柱部材５２を介して所定の後傾角度Ａ１を付与してベース台５１上に支持される。ベース台５１は、厚手の単板を長方形に切断し、四隅をアール面取りするとともに、前方端面を大きく斜面取りして体裁を整えたものである。ベース台５１は、書見台５０が机上に自立姿勢を維持するための部材であるが、書見板５４，５４上の書籍６０の重心がベース台５１の中心付近に位置するように他の部材配置を考慮することによって、意外に小さなもので所期の機能を達することができる。
【００３０】
支柱部材５２はベース台５１上に立設する角柱状部材であり、一対の書見板５４，５４の高さ位置を決定している。支柱部材５２の高さ寸法は、書見台５０の用途によって決定される。例えば、謡や三味線等、正座姿勢でする習い事の台本を載せる用途の場合には、正座姿勢における使用者の目線Ｌ１の高さに調節することができる。支柱部材５２の上端面５２Ｔは、角度切断されており、この部分に背当て部材５３の背面５３Ｄが固定される（図２）。この結果一対の書見板５４，５４に同時に支柱部材５２の上端面５２Ｔの傾斜に等しい後傾角度Ａ１が付与される。なお、後傾角度Ａ１は、水平線ではなく鉛直線Ｖ１を基準として設定している。
【００３１】
書見台５０における一対の書見板５４，５４の後傾角度Ａ１は、４０度〜７０度の範囲で選定することができ、見開き角度Ａ２は、１４０度〜１６０度の範囲で選定することができる。一方、一対の書見板５４，５４間の背落し間隔Ｄ１は、例えば、英単語の辞書のような厚手の書籍を想定しても４０ｍｍ〜５０ｍｍの範囲に設定すれば足りる。背落し間隔Ｄ１は、背表紙部６３全体を落とし込む込むことを理想とするが、背表紙部６３の表表紙６１側の角部または裏表紙６２側の角部とのいずれか一方の角部が落ち込めばその機能を発揮するからである。また、背落し深さＤ２は、書籍６０のサイズに拘らず１０ｍｍ〜１５ｍｍに設定する。書籍６０のサイズが異なっても、書籍６０の綴じ代の幅には、殆ど変化がないからである。
【００３２】
後傾角度Ａ１および見開き角度Ａ２の意義は、前述したところであるが、本考案に係る書見台５０における後傾角度Ａ１は、従来の書見台に比べて大きく設定されていることが特徴である。本実施の形態においては、４５度に設定されているが、この後傾角度Ａ１で目線Ｌ１との角度を十分良好な範囲とすることができる（図２）。背落し間隔Ｄ１は、後方に突出している書籍６０の背表紙部６３を落とし込むように機能し、この結果、書見板５４，５４上の書籍６０の表表紙６１と裏表紙６２とは、対応する書見板５４，５４に均等に寄り添う状態となる。さらに、一対に書見板５４，５４間に１８０度より小さな見開き角度あ２が設定されていることにより、書籍６０が自然に開いている状態をそのまま背後側から支持するような安定な支持状態が実現される（図３）。
【００３３】
なお、見開き角度Ａ２の設定により、書見板５４，５４に支持された書籍６０の表表紙６１と裏表紙６２とは、若干閉じた状態となるが、厚手の書籍６０の場合においては、この状態で見開き姿勢とした書籍６０の左右ページ６４，６４が略１８０度に開いた状態となることが考慮されているのである。
【００３４】
本考案に係る書見台５０の他の実施の形態として、各滑り止め片５５を各書見板５４に対して位置決め自在に取り付けることができる（図４）。各書見板５４の裏面側には長孔５６Ｂを設けた調節部材５６が書見板５４に沿って手回しねじ５６Ｎによって取り付けられており、滑り止め片５５は、調節部材５６を介して書見板５４に取り付けられている。手回しねじ５６Ｎを弛めると、調節部材５６が書見板５４に沿って上下動し、したがって、滑り止め片５５は、平行移動するように上下動することができる。書籍６０のサイズによって滑り止め片５５を上下動させ、書籍６０の重心位置をベース台５１の中央付近に移動させることができるので、ベース台５１が小さなもので足り、書見台５０全体を機能的デザインのものとして実現することができる。
【００３５】
本考案に係る書見台５０の他の実施の形態として、一対の書見板５４，５４は、それぞれ外側の側端縁から書見板５４，５４の幅寸法Ｗ１，Ｗ１を減ずる向きの切欠き部５４Ｈ，５４Ｈを備えることができる（図５）。図示の切欠き部５４Ｈは、角型であるが、切欠き部５４Ｈの形状は任意的なものであり、デザイン要素としての利用もできる。書籍６０が一対の書見板５４，５４の内側に収まってしまう小判である場合、書見板５４，５４が障害となって書籍６０の厚み全体に指を掛けて多数ページを一気にめくる操作がし難くなることがあるが、切欠き部５４Ｈを設けると、この部分で部分的に障害物が存在しないこととなるので、書見台５０を用いない場合と同様の操作によってページをめくることが可能となる。
【００３６】
本考案に係る書見台は、支柱部材を用いることなくベース台に直接に一対の書見板を固定して組み立てることもできる（図６）。この場合、ベース台には、十分な厚みを有するブロック材を用い、ベース台の厚みを利用して一対の書見板を取り付けるための取付け面５１Ｓを形成する。一対の取付け面は、背落し間隔相当離すとともに、一対の書見板に後傾角度と見開き角度とを付与するための２種類の角度を設定して形成する。そして、各取付け面に、書見板を固定することによって、一対の書見板に所定の間隔および角度関係を付与することができる。また、背当て部材５３は、支柱部材の取付け部材とならないので、書籍６０の背落し深さを設定することができるに足る小さなもので足りる。なお、この形態の書見台は、構成部材点数が少ない上に、高さが低くて安定性に優れているので、ガラス質材料から一体成形するのに好都合である。ただし、ガラス質材料から一体成形する場合には、材料の特性を生かした一塊性のある外観にデザイン変更することが好ましい。また、この場合においても、一対の書見板の間隔や角度関係は、維持されなければならないものとする。
【図面の簡単な説明】
【００３７】
【図１】本考案の実施の形態を示す正面図である。
【図２】本考案の実施の形態を示す側面図である。
【図３】本考案の実施の形態を示す図２のＡ矢視図である。
【図４】本考案の他の実施の形態を示す側面図である。
【図５】本考案の他の実施の形態を示す正面図である。
【図６】本考案の他の実施の形態を示す側面図である。
【符号の説明】
【００３８】
Ｗ１      書見板の幅寸法
Ｌ１      目線
Ａ１      後傾角度
Ａ２      見開き角度
Ｄ１      背落し間隔
Ｄ２      背落し深さ
５０      書見台
５１      ベース台
５２      支柱部材
５３      背当て部材
５４      書見板
５４Ｈ    切欠き部
５５      滑り止め片
５６      調節部材
６０      書籍
６１      表表紙
６２      裏表紙
【図１】
0003114335.tif 000003
【図２】
0003114335.tif 000004
【図３】
0003114335.tif 000005
【図４】
0003114335.tif 000006
【図５】
0003114335.tif 000007
【図６】
0003114335.tif 000008